(57)【要約】      （修正有）【課題】ワイヤーブラジャーの支持性及びノンワイヤーブラジャーの良い着心地を両立させる引き上げブラジャーを提供する。【解決手段】引き上げブラジャー１００は、第１の当接外縁２１０を有する第１のカップ２００と、第１のカップに接続可能に、完全的に第１の当接外縁に密着される第２の当接外縁３１０を有する第２のカップ３００と、第１の脇側部４１０、第２の脇側部４２０、第１のバック部４３０、第２のバック部４４０、第１の肩紐部４５０、第２の肩紐部４６０及び接続部材４９０を含むブラジャー土台４００と、第１の肩紐部及び第２の肩紐部に接続されており、第１の肩紐部の方向に沿って第１のカップ、第２の当接外縁と第１の当接外縁の密着部、及び第２のカップを通して第２の肩紐部に接続されている第１の引き上げテープ５００と、を備える。これにより、バストを寄せる効果が達成される。【選択図】図１
0003203204.tif 000002
【実用新案登録請求の範囲】
【請求項１】
第１の当接外縁を有する第１のカップと、
前記第１のカップに接続可能に、完全的に前記第１の当接外縁に密着されている第２の当接外縁を有する第２のカップと、
前記第１のカップに接続されている第１の脇側部と、前記第１の脇側部と対称となるよう前記第２のカップに接続されている第２の脇側部と、前記第１の脇側部に接続されている第１のバック部と、前記第１のバック部と対称となるよう前記第２の脇側部に接続されている第２のバック部と、前記第１のカップと前記第１のバック部に接続されている第１の肩紐部と、前記第２のカップと前記第２のバック部に接続されている第２の肩紐部と、前記第１のバック部と前記第２のバック部とを接続するのに用いられる接続部材と、を含み、前記第１のカップ及び前記第２のカップを設置するのに用いられるブラジャー土台と、
前記第１の肩紐部及び前記第２の肩紐部に接続されており、前記第１の肩紐部の方向に沿って前記第１のカップ、前記第２の当接外縁と前記第１の当接外縁との密着部、及び前記第２のカップを通して前記第２の肩紐部に接続されている第１の引き上げテープと、
を備える引き上げブラジャー。
【請求項２】
前記第１の引き上げテープは、Ｕ字型の形状を有する請求項１に記載の引き上げブラジャー。
【請求項３】
前記第１の引き上げテープは、「凵」字型の形状を有する請求項１に記載の引き上げブラジャー。
【請求項４】
前記第１の引き上げテープは、Ｖ字型の形状を有する請求項１に記載の引き上げブラジャー。
【請求項５】
前記第１のカップの下縁及び前記第２のカップの下縁に沿って前記第１の引き上げテープのそばに並べられている第２の引き上げテープを更に備える請求項１に記載の引き上げブラジャー。
【請求項６】
前記第２の引き上げテープは、Ｕ字型の形状を有する請求項５に記載の引き上げブラジャー。
【請求項７】
前記第２の引き上げテープは、「凵」字型の形状を有する請求項５に記載の引き上げブラジャー。
【請求項８】
前記第１の引き上げテープ及び前記第２の引き上げテープは、それぞれ体のバスト曲線に合わせて波形の形状を有する請求項５に記載の引き上げブラジャー。
【請求項９】
前記第１の引き上げテープ及び前記第２の引き上げテープの何れにも、滑り止め柄が布設されている請求項８に記載の引き上げブラジャー。
【請求項１０】
前記ブラジャー土台は、第一弾性飾り筋、第二弾性飾り筋、および第三弾性飾り筋を含む３つの弾性飾り筋を更に有し、
前記第一弾性飾り筋は、前記第１の肩紐部の一端に接続されており、前記第１のカップの側縁、前記第１の脇側部の上縁及び前記第１のバック部の上縁に沿って前記第１の肩紐部の他端に接続されており、
前記第二弾性飾り筋は、前記第２の肩紐部の一端に接続されており、前記第２のカップの側縁、前記第２の脇側部の上縁及び前記第２のバック部の上縁に沿って前記第２の肩紐部の他端に接続されており、
前記第三弾性飾り筋は、前記第１のバック部の下縁、前記第１の脇側部の下縁、前記第２の脇側部の下縁及び前記第２のバック部の下縁に沿って前記第２の引き上げテープのそばに並べられており、且つ前記第１のカップが第１の上外縁を更に有し、前記第２のカップが第２の上外縁を更に有し、前記第１の上外縁が前記第１の当接外縁に沿って前記第三弾性飾り筋に接続されており、前記第２の上外縁が前記第２の当接外縁に沿って前記第三弾性飾り筋に接続されている請求項９に記載の引き上げブラジャー。
【請求項１１】
前記第１の肩紐部及び前記第２の肩紐部が調整可能に前記第１のバック部及び前記第２のバック部に接続するのに用いられる２つの調整部品を更に備える請求項１０に記載の引き上げブラジャー。
【請求項１２】
前記ブラジャー土台は、少なくとも２つの支持用飾り筋を更に含み、前記支持用飾り筋の１つが前記第１の脇側部と前記第１のバック部との接合部に位置し、別の前記支持用飾り筋が前記第２の脇側部と前記第２のバック部との接合部に位置する請求項１１に記載の引き上げブラジャー。
【請求項１３】
前記支持用飾り筋は、数が４つであり、２つずつ組になって前記第１の脇側部と前記第１のバック部との接合部、及び前記第２の脇側部と前記第２のバック部との接合部に分布する請求項１２に記載の引き上げブラジャー。
【請求項１４】
第１の当接外縁を有する第１のカップと、
第２の当接外縁を有する第２のカップと、
前記第１のカップに接続されている第１の肩紐部と、前記第２のカップに接続されている第２の肩紐部と、前記第１の当接外縁及び前記第２の当接外縁に接続されているセンターゴア部と、前記第１の肩紐部及び前記第２の肩紐部に接続されており、前記第１の肩紐部の方向に沿って前記第１のカップ、前記第１の当接外縁、前記センターゴア部、前記第２の当接外縁及び前記第２のカップを通して前記第２の肩紐部に接続されている第１の引き上げテープと、を含み、前記第１のカップ及び前記第２のカップを設置するのに用いられるブラジャー土台と、
を備える引き上げブラジャー。
【請求項１５】
前記第１の引き上げテープは、Ｕ字型の形状を有する請求項１４に記載の引き上げブラジャー。
【請求項１６】
前記第１の引き上げテープは、「凵」字型の形状を有する請求項１４に記載の引き上げブラジャー。
【請求項１７】
前記第１の引き上げテープは、Ｖ字型の形状を有する請求項１４に記載の引き上げブラジャー。
【請求項１８】
前記第１のカップの下縁及び前記第２のカップの下縁に沿って前記第１の引き上げテープのそばに並べられている第２の引き上げテープを更に備える請求項１４に記載の引き上げブラジャー。
【請求項１９】
前記第２の引き上げテープは、Ｕ字型の形状を有する請求項１８に記載の引き上げブラジャー。
【請求項２０】
前記第２の引き上げテープは、「凵」字型の形状を有する請求項１８に記載の引き上げブラジャー。
【請求項２１】
前記第１の引き上げテープ及び前記第２の引き上げテープは、それぞれ体のバスト曲線に合わせて波形の形状を有する請求項１８に記載の引き上げブラジャー。
【請求項２２】
前記第１の引き上げテープ及び前記第２の引き上げテープの何れにも、滑り止め柄が布設されている請求項２１に記載の引き上げブラジャー。
【請求項２３】
前記ブラジャー土台は、
前記第１のカップに接続されている第１の脇側部と、
前記第１の脇側部と対称となるよう前記第２のカップに接続されている第２の脇側部と、
前記第１の脇側部に接続される第１のバック部と、
前記第１のバック部と対称となるよう前記第２の脇側部に接続されている第２のバック部と、
を更に含む請求項２２に記載の引き上げブラジャー。
【請求項２４】
前記ブラジャー土台は、第一弾性飾り筋、第二弾性飾り筋、および第三弾性飾り筋を含む３つの弾性飾り筋を更に有し、
前記第一弾性飾り筋は、前記第１の肩紐部の一端に接続されており、前記第１のカップの側縁、前記第１の脇側部の上縁及び前記第１のバック部の上縁に沿って前記第１の肩紐部の他端に接続されており、
前記第二弾性飾り筋は、前記第２の肩紐部の一端に接続されており、前記第２のカップの側縁、前記第２の脇側部の上縁及び前記第２のバック部の上縁に沿って前記第２の肩紐部の他端に接続されており、
前記第三弾性飾り筋は、前記第１のバック部の下縁、前記第１の脇側部の下縁、前記第２の脇側部の下縁及び前記第２のバック部の下縁に沿って前記第２の引き上げテープのそばに並べられており、且つ前記第１のカップが第１の上外縁を更に有し、前記第２のカップが第２の上外縁を更に有し、前記第１の上外縁が前記第１の当接外縁に沿って前記第三弾性飾り筋に接続されており、前記第２の上外縁が前記第２の当接外縁に沿って前記第三弾性飾り筋に接続されている請求項２３に記載の引き上げブラジャー。
【請求項２５】
前記第１の肩紐部及び前記第２の肩紐部が調整可能に前記第１のバック部及び前記第２のバック部に接続するのに用いられる２つの調整部品を更に備える請求項２４に記載の引き上げブラジャー。
【請求項２６】
前記ブラジャー土台は、少なくとも２つの支持用飾り筋を更に含み、前記支持用飾り筋の１つが前記第１の脇側部と前記第１のバック部との接合部に位置し、他の前記支持用飾り筋が前記第２の脇側部と前記第２のバック部との接合部に位置する請求項２５に記載の引き上げブラジャー。
【請求項２７】
前記支持用飾り筋は、数が４つであり、２つずつ組になって前記第１の脇側部と前記第１のバック部との接合部、及び前記第２の脇側部と前記第２のバック部との接合部に分布する請求項２６に記載の引き上げブラジャー。
【考案の詳細な説明】
【技術分野】
【０００１】
本考案は、ブラジャーに関し、特に、引き上げブラジャーに関する。
【背景技術】
【０００２】
従来、ブラジャーは、人体のバストを遮って保護することに用いられる。人々のファッションに対する審美観の発進につれて、ブラジャーは、寄せ、引き上げ及び保持等のバストの形を補正する効果を同時に有するようになる。
【０００３】
ブラジャー製造用の生地としては、何れもコットン、シルク等の吸湿、通気、保温且つ皮膚アレルギーを起こさない材質から作られる。そのため、ブラジャーが前記生地の本来の機能を保つと共に、寄せ、引き上げ及び保持の機能を追加するために、現在、例えば、ワイヤーブラジャーのように、別に鋼製の物質を入れて達成することは一般的である。ワイヤーブラジャーは、ワイヤーをバストの下縁の位置に対応して、ワイヤーの安定的で変形しにくい特性によってバストを支え、重力によるバスト曲線の立体形状を抵抗することができる。
【０００４】
しかしながら、使用者がワイヤーブラジャーを長時間着用すると、ワイヤーがバストを持続に押さえるため、バストが通気できず、体に赤みのしめられた跡が残るだけではなく、乳がんを引き起こす可能性もあり、女性がビューティを求めると共にブラジャーを着用する着心地を犠牲しなければならない。
【０００５】
現在、ワイヤーブラジャーの改善としては、使用者は、胸腔における中間リブが直接ワイヤーに押さえられないように、低めのセンターゴア（ｃｅｎｔｅｒ  ｇｏｒｅ）のワイヤーブラジャー又はＬ字型ワイヤーのブラジャーを選択してもよい。しかしながら、これによっても、ブラジャーの一部のワイヤーを減少して設置するだけで、中間リブから離れた部位が依然としてワイヤーに押さえられるので、使用者に不快感を与える。
【考案の概要】
【考案が解決しようとする課題】
【０００６】
本考案は、ワイヤーブラジャーの支持性及びノンワイヤーブラジャーのよい着心地を両立させる引き上げブラジャーを提供することを目的とする。
【課題を解決するための手段】
【０００７】
本考案の一態様によれば、第１の当接外縁を有する第１のカップと、第１のカップに接続可能に、完全的に第１の当接外縁に密着される第２の当接外縁を有する第２のカップと、第１のカップに接続される第１の脇側部と、第１の脇側部と対称となるよう第２のカップに接続される第２の脇側部と、第１の脇側部に接続される第１のバック部と、第１のバック部と対称となるよう第２の脇側部に接続される第２のバック部と、第１のカップ及び第１のバック部に接続される第１の肩紐部と、第２のカップ及び第２のバック部に接続される第２の肩紐部と、第１のバック部及び第２のバック部を接続するのに用いられている接続部材と、を含み、第１のカップ及び第２のカップを設置するのに用いられているブラジャー土台と、第１の肩紐部及び第２の肩紐部に接続されて、第１の肩紐部の方向に沿って第１のカップ、第２の当接外縁と第１の当接外縁の密着部、及び第２のカップを通して第２の肩紐部に接続される第１の引き上げテープと、を備える引き上げブラジャーを提供する。
【０００８】
前記引き上げブラジャーの一態様によれば、第１の引き上げテープは、Ｕ字型の形状、「凵」字型の形状又はＶ字型の形状となってもよい。
【０００９】
前記引き上げブラジャーの別の態様によれば、引き上げブラジャーは、第１のカップの下縁及び第２のカップの下縁に沿って第１の引き上げテープのそばに並べられる第２の引き上げテープを更に備えてもよい。第２の引き上げテープは、Ｕ字型の形状又は「凵」字型の形状となってもよい。第１の引き上げテープ及び第２の引き上げテープは、それぞれ体のバスト曲線に合わせて波形の形状となってもよい。第１の引き上げテープ及び第２の引き上げテープの何れにも、滑り止め柄が布設される。ブラジャー土台は、第一弾性飾り筋、第二弾性飾り筋、および第三弾性飾り筋を含む３つの弾性飾り筋を更に含んでもよく、第一弾性飾り筋は第１の肩紐部の一端に接続されて、第１のカップの側縁、第１の脇側部の上縁及び第１のバック部の上縁に沿って第１の肩紐部の他端に接続されており、第二弾性飾り筋は、第２の肩紐部の一端に接続されて、第２のカップの側縁、第２の脇側部の上縁及び第２のバック部の上縁に沿って第２の肩紐部の他端に接続されており、第三弾性飾り筋は、第１のバック部の下縁、第１の脇側部の下縁、第２の脇側部の下縁及び第２のバック部の下縁に沿って第２の引き上げテープのそばに並べられ、且つ第１のカップが第１の上外縁を更に有し、第２のカップが第２の上外縁を更に有し、第１の上外縁が第１の当接外縁に沿って第三弾性飾り筋に接続され、第２の上外縁が第２の当接外縁に沿って第三弾性飾り筋に接続されている。引き上げブラジャーは、第１の肩紐部及び第２の肩紐部が調整可能に第１のバック部及び第２のバック部に接続するのに用いられている２つの調整部品を更に備えてもよい。ブラジャー土台は、少なくとも２つの支持用飾り筋を更に含んでもよく、支持用飾り筋の１つが第１の脇側部と第１のバック部との接合部に位置し、他の支持用飾り筋が第２の脇側部と第２のバック部との接合部に位置する。支持用飾り筋は、数が４つであってもよく、２つずつ組になって第１の脇側部と第１のバック部との接合部、及び第２の脇側部と第２のバック部との接合部に分布する。
【００１０】
本考案の他の態様によれば、第１の当接外縁を有する第１のカップと、第２の当接外縁を有する第２のカップと、第１のカップに接続される第１の肩紐部と、第２のカップに接続される第２の肩紐部と、第１の当接外縁及び第２の当接外縁に接続されるセンターゴア部と、第１の肩紐部及び第２の肩紐部に接続されて且つ第１の肩紐部の方向に沿って第１のカップ、第１の当接外縁、センターゴア部、第２の当接外縁及び第２のカップを通して第２の肩紐部に接続される第１の引き上げテープと、を含み、第１のカップ及び第２のカップを設置するのに用いられるブラジャー土台と、を備える引き上げブラジャーを提供する。
【００１１】
前記引き上げブラジャーの一態様によれば、第１の引き上げテープは、Ｕ字型の形状、「凵」字型の形状又はＶ字型の形状となってもよい。
【００１２】
前記引き上げブラジャーの他の態様によれば、引き上げブラジャーは、第１のカップの下縁及び第２のカップの下縁に沿って第１の引き上げテープのそばに並べられる第２の引き上げテープを更に備えてもよい。第２の引き上げテープは、Ｕ字型の形状又は「凵」字型の形状となってもよい。第１の引き上げテープ及び第２の引き上げテープは、それぞれ体のバスト曲線に合わせて波形の形状となってもよい。第１の引き上げテープ及び第２の引き上げテープの何れにも、滑り止め柄が布設される。ブラジャー土台は、第１のカップに接続される第１の脇側部と、第１の脇側部と対称となるよう第２のカップに接続される第２の脇側部と、第１の脇側部に接続される第１のバック部と、第１のバック部と対称となるよう前記第２の脇側部に接続される第２のバック部と、第一弾性飾り筋、第二弾性飾り筋、および第三弾性飾り筋を含む３つの弾性飾り筋と、を更に含んでもよい。第一弾性飾り筋は、第１の肩紐部の一端に接続されて、第１のカップの側縁、第１の脇側部の上縁及び第１のバック部の上縁に沿って第１の肩紐部の他端に接続されており、第二弾性飾り筋は、第２の肩紐部の一端に接続されており、第２のカップの側縁、第２の脇側部の上縁及び第２のバック部の上縁に沿って第２の肩紐部の他端に接続されており、第三弾性飾り筋は、第１のバック部の下縁、第１の脇側部の下縁、第２の脇側部の下縁及び第２のバック部の下縁に沿って第２の引き上げテープのそばに並べられており、且つ第１のカップが第１の上外縁を更に有し、第２のカップが第２の上外縁を更に有し、第１の上外縁が第１の当接外縁に沿って第三弾性飾り筋に接続されており、第２の上外縁が第２の当接外縁に沿って第三弾性飾り筋に接続されている。引き上げブラジャーは、第１の肩紐部及び第２の肩紐部が調整可能に第１のバック部及び第２のバック部に接続するのに用いられている２つの調整部品を更に備えてもよい。ブラジャー土台は、少なくとも２つの支持用飾り筋を更に含んでもよく、支持用飾り筋の１つが第１の脇側部と第１のバック部との接合部に位置し、他の支持用飾り筋が第２の脇側部と第２のバック部との接合部に位置する。支持用飾り筋は、数が４つであってもよく、２つずつ組になって第１の脇側部と第１のバック部との接合部、及び第２の脇側部と第２のバック部との接合部に分布する。
【００１３】
従って、前記引き上げブラジャーの第１のカップと第２のカップは、それぞれ第１の当接外縁及び第２の当接外縁を有し、第１の当接外縁が完全的に第２の当接外縁に密着される。つまり、引き上げブラジャーは、元の従来のブラジャーのセンターゴアを除去して、いかなる隙間が発生せずに第２のカップが直接第１のカップを接続する。このようにして、第１のカップと第２のカップとが密接することで、元のワイヤーブラジャーによる寄せ効果を発生させるため、ワイヤーブラジャーよりも、本実施形態の引き上げブラジャーは、構造が簡単であり、製造方式が容易となるだけでなく、製造コストがより低減される。
【００１４】
また、本態様の引き上げブラジャーは、第１の引き上げテープを更に含む。第１の引き上げテープの両端が直接第１の肩紐部及び第２の肩紐部に接続されて、第１のカップ及び第２のカップを通して、第１のカップ及び第２のカップが第１の肩紐部及び第２の肩紐部によって直接上へ引き上げられて、バストを引き上げる効果を奏する。
【図面の簡単な説明】
【００１５】
【図１】本考案の一実施形態に係る引き上げブラジャーの構造を示す模式図である。
【図２】図１の引き上げブラジャーを示す分解模式図である。
【図３】図１の引き上げブラジャーの使用状態を示す模式図である。
【図４】本考案の他の実施形態に係る引き上げブラジャーの構造を示す模式図である。
【考案を実施するための形態】
【００１６】
上記図面の簡単な説明は、本考案の前記または他の目的、特徴、メリット、実施形態をより分かりやすくするためのものである。
図１及び図２を参照されたい。図１は、本考案の一実施形態に係る引き上げブラジャーの構造を示す模式図である。図２は、図１の引き上げブラジャーを示す分解模式図である。引き上げブラジャー１００は、第１のカップ２００と、第２のカップ３００と、ブラジャー土台４００と、第１の引き上げテープ５００と、第２の引き上げテープ６００と、調整部品７００と、を備える。
【００１７】
第１のカップ２００は、第１の当接外縁２１０及び第１の上外縁２２０を有し、保温及び保護の効果を向上させるように、厚いコットン材で作られてもよい。
【００１８】
第２のカップ３００は、第２の当接外縁３１０及び第２の上外縁３２０を有する。第２の当接外縁３１０は、第２のカップ３００を第１のカップ２００に接続させるように、第１の当接外縁２１０に完全的に密着する。第２のカップ３００も第１のカップ２００も厚いコットン材で作られてもよい。
【００１９】
ブラジャー土台４００は、第１のカップ２００及び第２のカップ３００を設置することに用いられる。ブラジャー土台４００は、第１の脇側部４１０、第２の脇側部４２０、第１のバック部４３０、第２のバック部４４０、第１の肩紐部４５０及び第２の肩紐部４６０、３つの弾性飾り筋４７１、４７２、４７３、４つの支持用飾り筋４８０及び接続部材４９０を含む。第１の脇側部４１０が第１のカップ２００に接続される。第２の脇側部４２０が第１の脇側部４１０と対称となるよう第２のカップ３００に接続される。第１のバック部４３０が第１の脇側部４１０に接続される。第２のバック部４４０が第１のバック部４３０と対称となるよう第２の脇側部４２０に接続される。第１の肩紐部４５０が第１のカップ２００と第１のバック部４３０に接続する。第２の肩紐部４６０が第２のカップ３００と第２のバック部４４０に接続する。第一弾性飾り筋４７１は第１の肩紐部４５０の一端に接続されて、第１のカップ２００の側縁、第１の脇側部４１０の上縁及び第１のバック部４３０の上縁に沿って第１の肩紐部４５０の他端に接続される。第二弾性飾り筋４７２は前述の第一弾性飾り筋４７１に対向して設けられており、第２の肩紐部４６０の一端に接続されて、第２のカップ３００の側縁、第２の脇側部４２０の上縁及び第２のバック部４４０の上縁に沿って第２の肩紐部４６０の他端に接続される。第三弾性飾り筋４７３は、第１のバック部４３０の下縁、第１の脇側部４１０の下縁、第２の脇側部４２０の下縁及び第２のバック部４４０の下縁に設けられ、且つ第１のカップ２００の第１の上外縁２２０が第１の当接外縁２１０に沿って第三弾性飾り筋４７３に接続されており、第２のカップ３００の第２の上外縁３２０が第２の当接外縁３１０に沿って第三弾性飾り筋４７３に接続されている。４つの支持用飾り筋４８０の中の２つが１組になって第１の脇側部４１０と第１のバック部４３０との接合部に位置し、他の２つの支持用飾り筋４８０が１組になって第２の脇側部４２０と第２のバック部４４０との接合部に位置する。本実施形態において、支持用飾り筋４８０の数が例示だけであるが、当業者であれば、機能の要求に応じて増加又は減少してもよい。
【００２０】
前記の第１の脇側部４１０、第２の脇側部４２０、第１のバック部４３０、第２のバック部４４０、第１の肩紐部４５０及び第２の肩紐部４６０は、コットン材料又はシルク材料で一体的に製造されることができる。弾性飾り筋４７１、４７２、４７３及び支持用飾り筋４８０を、ある程度の支持力及び弾力を持たせるために、弾性に富むライクラ等の弾性繊維によって編成してもよいし、コットンや、ナイロン、ポリマー材料等の非弾性繊維を混編してもよい。以上の各素子又は部位の材質に関する説明は、本発明の使用可能な実施形態だけであり、本発明は本実施形態に制限されない。
【００２１】
第１の引き上げテープ５００は、第１の肩紐部４５０に接続されて、第１の肩紐部４５０の延伸方向に沿って第１のカップ２００、第２の当接外縁３１０と第１の当接外縁２１０の密着部、及び第２のカップ３００を通して、第２の肩紐部４６０に接続される。また、摩擦力を向上させるために、第１の引き上げテープ５００に滑り止め柄５１０が布設されてもよい。本実施形態に係る第１の引き上げテープ５００は、Ｕ字型の形状となるが、これに限定されなく、更に「凵」字型の形状又はＶ字型の形状となってもよい。
【００２２】
第２の引き上げテープ６００は、第１のカップ２００の下縁及び第２のカップ３００の下縁に沿って第１の引き上げテープ５００のそばに並べられ、且つ第２の引き上げテープ６００に滑り止め柄６１０が布設される。本実施形態において、第２の引き上げテープ６００は、Ｕ字型の形状となってもよいが、本実施形態は、第２の引き上げテープ６００の呈する形状が制限されない。また、第１の引き上げテープ５００及び第２の引き上げテープ６００は、それぞれ体のバスト曲線に合わせて、波形の形状又はＷ型の形状となってもよい。
【００２３】
２つの調整部品７００の各々は、第１の肩紐部４５０及び第２の肩紐部４６０が調整可能に第１のバック部４３０及び第２のバック部４４０に接続することに用いられる。調整部品７００によって第１の肩紐部４５０及び第２の肩紐部４６０の長さを如何に調整するかは、従来の技術であるため、本実施形態において説明しない。
【００２４】
図３を参照されたい。図３は、図１の引き上げブラジャー１００の使用状態を示す模式図である。使用者が引き上げブラジャー１００を着用すると、第１のカップ２００が第１の当接外縁２１０と第２の当接外縁３１０との密接な接合によって直接第２のカップ３００に接続されて、引き上げブラジャー１００のバストを寄せる効果を奏する。第１の引き上げテープ５００の第１の肩紐部４５０及び第２の肩紐部４６０に接続される構造によって、第１の肩紐部４５０及び第２の肩紐部４６０が第１の引き上げテープ５００によって第１のカップ２００及び第２のカップ３００を引き上げて、バストアップの効果を奏する。第２の引き上げテープ６００は、第１のカップ２００の下縁及び第２のカップ３００の下縁に並べられるので、第１のカップ２００及び第２のカップ３００の寄せ効果に寄与するだけでなく、同時に第１の引き上げテープ５００の引き上げ効果に寄与する。また、弾性飾り筋４７１、４７２、４７３が体の肩、背中及びリブの位置に均一に布設されるため、体のバストの負担を大幅に減少し、引き上げブラジャー１００を着脱しやすくすることができる。
【００２５】
図４を参照されたい。図４は、本考案の他の実施形態の引き上げブラジャー１００の構造を示す模式図である。本実施形態において、引き上げブラジャー１００は、図１に示す引き上げブラジャー１００のあらゆる部材に加え、そのブラジャー土台４００が第１の当接外縁２１０及び第２の当接外縁３１０に接続されるセンターゴア部４９５を更に含む。第１の引き上げテープ５００は、第１の肩紐部４５０及び第２の肩紐部４６０に接続されて、第１のカップ２００、センターゴア部４９５及び第２のカップ３００を通して、同様に引き上げ及び寄せの効果を有する。
【００２６】
また、前記引き上げブラジャーの他の実施形態において、例えば、スポーツブラジャーのように、第１のカップと第２のカップ、ブラジャー土台と第１の引き上げテープは、取り外す可能な接続部材を有せず、一体成形された生地であってもよい。
【００２７】
要するに、本考案の引き上げブラジャーは、以下のメリットを有する。
【００２８】
１．第１のカップの第１の当接外縁と第２のカップの第２の当接外縁とが完全的に密接することで、引き上げブラジャーは、元の従来のブラジャーのセンターゴア（土台）を除去して、バストを集める効果を有するだけでなく、従来のワイヤーブラジャーよりも、構造が簡単で容易であり、更に、製造コストが低減される。
【００２９】
２．第１の引き上げテープの両端が直接第１の肩紐部及び第２の肩紐部に接続されることで、第１のカップ及び第２のカップは、第１の肩紐部及び第２の肩紐部によって上へバストを直接引き上げることができる。第２の引き上げテープは、同時にバストを集める効果及びバストアップの効果を生じる。
【００３０】
３．さらに、第１の引き上げテープも第２の引き上げテープもともに滑り止め柄を設けてもよい。これにより、第１のカップ及び第２のカップは、より密接にバストに合わせて引き上げて寄せられるバストの形を実現できる。
【００３１】
４．別に弾性飾り筋を体の肩、背中及びリブの位置に設けて、バストの体への負担を低減し、バストを着脱しやすくする効果を発生させる。
【００３２】
本考案を実施形態で前記の通り開示したが、これは本考案を限定するためのものではなく、当業者であれば、本考案の精神と範囲から逸脱しない限り、各種の変更や修正を加えることができる。従って、本考案の保護範囲は、実用新案登録請求の範囲で指定した内容を基準とするものである。
【符号の説明】
【００３３】
１００  引き上げブラジャー
２００  第１のカップ
２１０  第１の当接外縁
２２０  第１の上外縁
３００  第２のカップ
３１０  第２の当接外縁
３２０  第２の上外縁
４００  ブラジャー土台
４１０  第１の脇側部
４２０  第２の脇側部
４３０  第１のバック部
４４０  第２のバック部
４５０  第１の肩紐部
４６０  第２の肩紐部
４７１  第一弾性飾り筋
４７２  第二弾性飾り筋
４７３  第三弾性飾り筋
４８０  支持用飾り筋
４９０  接続部材
４９５  センターゴア部
５００  第１の引き上げテープ
５１０  滑り止め柄
６００  第２の引き上げテープ
６１０  滑り止め柄
７００  調整部品
【図１】
0003203204.tif 000003
【図２】
0003203204.tif 000004
【図３】
0003203204.tif 000005
【図４】
0003203204.tif 000006